(57)【特許請求の範囲】
【請求項１】
地盤改良材を流すための中空部を有する内側軸とその内側軸の外側に設けられる中空状の外側軸とで二重管状に形成された掘削軸の下端に、掘削体と撹拌翼とが設けられた回転掘削機を設け、回転掘削機によって地盤を掘削するとともに地盤に地盤改良材を吐出して掘削した地盤と地盤改良材とを撹拌・混合する地盤改良装置において、
地盤改良材が回転掘削機から掘削軸に形成された中空部分へと逆流して外部へ飛散するのを防止するための地盤改良材逆流飛散防止手段を設け、
前記地盤改良材逆流飛散防止手段は、地盤改良施工時に地盤に進入しない掘削軸の余長部分に内側軸と外側軸との間に形成される中空部と外部とを連通するドレーンを形成するとともに、掘削軸の下端側からドレーンよりも上端側を上下に伸縮可能なカバーで被覆した構成としたことを特徴とする地盤改良装置。
【請求項２】
地盤改良材を流すための中空部を有する内側軸とその内側軸の外側に設けられる中空状の外側軸とで二重管状に形成された掘削軸の下端に、掘削体と撹拌翼とが設けられた回転掘削機を設け、回転掘削機によって地盤を掘削するとともに地盤に地盤改良材を吐出して掘削した地盤と地盤改良材とを撹拌・混合する地盤改良装置において、
地盤改良材が回転掘削機から掘削軸に形成された中空部分へと逆流して外部へ飛散するのを防止するための地盤改良材逆流飛散防止手段を設け、
前記地盤改良材逆流飛散防止手段は、内側軸と回転掘削機との間に中空状のシールロッドを設けるとともに、下端部にシールロッドの内周面との間を閉塞する閉塞体を設けた地盤改良材の流路となる流路管をシールロッドの中空部に下方から挿入した構成としたことを特徴とする地盤改良装置。
【請求項３】
地盤改良材を流すための中空部を有する内側軸とその内側軸の外側に設けられる中空状の外側軸とで二重管状に形成された掘削軸の下端に、掘削体と撹拌翼とが設けられた回転掘削機を設け、回転掘削機によって地盤を掘削するとともに地盤に地盤改良材を吐出して掘削した地盤と地盤改良材とを撹拌・混合する地盤改良装置において、
地盤改良材が回転掘削機から掘削軸に形成された中空部分へと逆流して外部へ飛散するのを防止するための地盤改良材逆流飛散防止手段を設け、
前記地盤改良材逆流飛散防止手段は、内側軸の中空部に挿入されて地盤改良材の流路となる流路管を、地盤改良材が流れる内側流路管と、内側流路管の外側に地盤改良材を流すための一定の間隔を保持して設けられた上部外側流路管と、上部外側流路管の下方に設けられ上部外側流路管と同一径以上の下部外側流路管と、上部外側流路管と下部外側流路管との間に設けられ地盤改良材を垂直方向や水平方向へ選択的に流すことができる分岐体とで構成したことを特徴とする地盤改良装置。
【発明の詳細な説明】
【技術分野】
【０００１】
本発明は、地盤を掘削するとともに地盤に地盤改良材を吐出して掘削した地盤と地盤改良材とを撹拌・混合することで地盤の改良を行う地盤改良装置に関するものである。
【背景技術】
【０００２】
従来より、軟弱地盤の強化や汚染地盤の浄化などを目的として、地盤改良装置を用いて地盤を掘削しながら掘削した地盤に地盤改良材（固化剤や浄化剤など）を吐出し、地盤改良材と土壌とを撹拌混合することによって地盤の改良を行っている。
【０００３】
この地盤改良工法において用いられる地盤改良装置としては、地盤改良材を流すための中空部を有する内側軸とその内側軸の外側に設けられる中空状の外側軸とで二重管状に形成された掘削軸の下端に、掘削体と撹拌翼とが設けられた回転掘削機を設け、回転掘削機によって地盤を掘削するとともに地盤に地盤改良材を吐出して掘削した地盤と地盤改良材とを撹拌・混合することで地盤改良を行う地盤改良装置が広く知られている（たとえば、特許文献１参照。）。
【先行技術文献】
【特許文献】
【０００４】
【特許文献１】特開平８−１９９５５６号公報
【発明の概要】
【発明が解決しようとする課題】
【０００５】
上記従来の地盤改良装置を用いて地盤改良を行う際には、回転掘削機で地盤を掘削していくために、回転掘削機及び掘削軸の深度が深くなるにつれて大きくなる全上載圧が回転掘削機や掘削軸に作用しており、しかも、地盤改良を行っている際には、地盤中に地盤改良材を注入することで全上載圧に注入による圧力が加わって改良地盤内の内圧が増加する。
【０００６】
通常であれば増加内圧の影響が掘削軸の外周に沿って地上方向に円滑に解放されるが、改良地盤の状況によっては地盤改良材等が回転掘削機から掘削軸に形成された中空部分へと逆流してしまい、場合によっては外部へ飛散してしまうおそれがある。
【課題を解決するための手段】
【０００７】
そこで、請求項１に係る本発明では、地盤改良材を流すための中空部を有する内側軸とその内側軸の外側に設けられる中空状の外側軸とで二重管状に形成された掘削軸の下端に、掘削体と撹拌翼とが設けられた回転掘削機を設け、回転掘削機によって地盤を掘削するとともに地盤に地盤改良材を吐出して掘削した地盤と地盤改良材とを撹拌・混合する地盤改良装置において、地盤改良材が回転掘削機から掘削軸に形成された中空部分へと逆流して外部へ飛散するのを防止するための地盤改良材逆流飛散防止手段を設けることにした。
【０００８】
また、請求項１に係る本発明では、前記地盤改良材逆流飛散防止手段は、地盤改良施工時に地盤に進入しない掘削軸の余長部分に内側軸と外側軸との間に形成される中空部と外部とを連通するドレーンを形成するとともに、掘削軸の下端側からドレーンよりも上端側を上下に伸縮可能なカバーで被覆した構成とすることにした。
【０００９】
また、請求項２に係る本発明では、前記地盤改良材逆流飛散防止手段は、内側軸と回転掘削機との間に中空状のシールロッドを設けるとともに、下端部にシールロッドの内周面との間を閉塞する閉塞体を設けた地盤改良材の流路となる流路管をシールロッドの中空部に下方から挿入した構成とすることにした。
【００１０】
また、請求項３に係る本発明では、前記地盤改良材逆流飛散防止手段は、内側軸の中空部に挿入されて地盤改良材の流路となる流路管を、地盤改良材が流れる内側流路管と、内側流路管の外側に地盤改良材を流すための一定の間隔を保持して設けられた上部外側流路管と、上部外側流路管の下方に設けられ上部外側流路管と同一径以上の下部外側流路管と、上部外側流路管と下部外側流路管との間に設けられ地盤改良材を垂直方向や水平方向へ選択的に流すことができる分岐体とで構成することにした。
【発明の効果】
【００１１】
そして、本発明では、以下に記載する効果を奏する。
【００１２】
すなわち、本発明では、地盤改良装置を用いた地盤改良工法の施工時に、地盤改良材が回転掘削機から掘削軸の中空部へと逆流して外部へ飛散してしまうのを防止することができるので、地盤改良工法の安全性を向上させることができるとともに、回転掘削機や掘削軸のメンテナンス性を向上させることができる。
【図面の簡単な説明】
【００１３】
【図１】地盤改良装置を示す側面図。
【図２】回転掘削機を示す側面図。
【図３】同平面図。
【図４】掘削軸を示す側面断面図。
【図５】内側シールロッドを示す側面断面図（ａ）、平面断面図（ｂ）（ｄ）、底面断面図（ｃ）（ｅ）。
【図６】流路管を示す側面断面図（１液吐出用流路の場合（ａ）、２液吐出用流路の場合（ｂ））。
【発明を実施するための形態】
【００１４】
以下に、本発明に係る地盤改良装置の具体的な構成について図面を参照しながら説明する。
【００１５】
図１〜図３に示すように、地盤改良装置１は、地盤２を掘削するとともに、掘削した土壌と地盤改良材（固化材）とを撹拌混合することで、地盤２の強度や性状を改良するものである。この地盤改良装置１は、重機３の前端部に支柱４を立設し、この支柱４に掘削装置５を昇降自在に取付けている。この掘削装置５には、地盤改良材供給機構６がスイベルジョイント７を介して接続されている。地盤改良材供給機構６は、地盤改良材貯留タンク８と水槽９とを地盤改良材混合プラント10に接続するとともに、地盤改良材混合プラント10に地盤改良材吐出ポンプ11を接続して、地盤改良材を掘削装置５に供給するように構成している。
【００１６】
掘削装置５は、支柱４の前側部に昇降支持体12を昇降自在に取付け、この昇降支持体12に駆動体13を取付け、駆動体13に上下方向に伸延させた掘削軸14の基端部（上端部）を取付け、掘削軸14の先端部（下端部）に回転掘削機15を取付けている。ここで、回転掘削機15は、回転によって掘削を行うものであり、地盤改良装置１では、地盤２の掘削に加えて掘削した地盤２と地盤改良材との撹拌・混合を行う機能をも有している。
【００１７】
駆動体13は、掘削軸14を構成する内側軸16と外側軸17とに駆動モータ18を反転変速機19を介して接続している。
【００１８】
掘削軸14は、同軸上に回転中心軸を配置した中空円筒状の内側軸16と外側軸17とで二重管状に形成されている。掘削軸14は、内側軸16の先端部を外側軸17の先端部よりも下方へ向けて突出させている。これらの内側軸16又は外側軸17は、駆動モータ18を駆動することで、同一方向へ向けて回転し、若しくは、反転変速機19を用いて相対的に反対方向へ向けて回転する。
【００１９】
回転掘削機15は、掘削軸14の先端部（下端部）に掘削体20と撹拌翼21とを先端側から順に取付けている。
【００２０】
掘削体20は、内側軸16の先端部外周面に２個の平板状の掘削翼体22を円周方向へ向けて180度の間隔をあけて外方へ向けて放射状に取付け、各掘削翼体22の下部に複数個の掘削ビット23を間隔をあけて着脱自在に取付けている。掘削体20は、内側軸16の回転に伴って掘削翼体22,22が回転し、掘削ビット23で地盤２を掘削する。
【００２１】
撹拌翼21は、最内側撹拌翼24と、その外周側に配置される内側撹拌翼25と、さらにその外周側に配置される外側撹拌翼26とで構成している。
【００２２】
最内側撹拌翼24は、外側軸17の先端部外周面に２個の平板状の最内側撹拌翼体27を円周方向へ向けて180度の間隔をあけて外方へ向けて放射状に取付けている。
【００２３】
内側撹拌翼25は、内側軸16の先端部に２個の内側撹拌翼体28を円周方向へ向けて180度の間隔をあけて外方へ向けて放射状に取付けている。各内側撹拌翼体28は、外方下部へ向けて傾斜状に伸延する内側撹拌翼上部片29と、下方へ向けて垂直状に伸延する内側撹拌翼中途部片30と、外方上部へ向けて傾斜状に伸延する内側撹拌翼下部片31とで、中途部を外方へ向けて膨出させた側面視で略コ字状に形成している。各内側撹拌翼体28は、内側撹拌翼下部片31を内側軸16の先端部側に取付けるとともに、内側撹拌翼上部片29を環状体32に取付け、環状体32を外側軸17の外周面に回動自在に遊嵌させている。また、各内側撹拌翼体28は、内側撹拌翼上部片29の上部や内側撹拌翼中途部片30の内側部や外側部に撹拌片33,34,35を取付けるとともに、内側撹拌翼中途部片30と内側軸16との間に連結片36を取付けている。
【００２４】
外側撹拌翼26は、外側軸17の先端部に３個の外側撹拌翼体37を円周方向へ向けて120度の間隔をあけて外方へ向けて放射状に取付けている。各外側撹拌翼体37は、外方下部へ向けて傾斜状に伸延する外側撹拌翼上部片38と、下方へ向けて垂直状に伸延する外側撹拌翼中途部片39と、外方上部へ向けて傾斜状に伸延する外側撹拌翼下部片40とで、中途部を外方へ向けて膨出させた側面視で略コ字状に形成している。各外側撹拌翼体37は、外側撹拌翼上部片38を外側軸17の先端部側に取付けるとともに、外側撹拌翼下部片40を環状体41に取付け、環状体41を内側軸16の外周面に回動自在に遊嵌させている。また、各外側撹拌翼体37は、外側撹拌翼上部片38の下部や外側撹拌翼中途部片39の内側部に撹拌片42,43を取付けている。
【００２５】
地盤改良装置１は、以上に説明したように構成しており、軟弱地盤の強化や汚染地盤の浄化などを目的とした地盤改良工法を行う場合には、掘削軸14の下端に取付けた回転掘削機15を用いて地盤２を掘削しながら掘削した地盤２に固化剤や浄化剤などの地盤改良材を掘削体20（掘削翼体22）や撹拌翼21（最内側撹拌翼24、内側撹拌翼25、外側撹拌翼26）から下方や側方に向けて吐出し、地盤改良材と土壌とを撹拌混合することによって地盤２の改良を行う。なお、地盤改良材の吐出口は、掘削体20（掘削翼体22）や撹拌翼21（最内側撹拌翼24、内側撹拌翼25、外側撹拌翼26）の適宜位置に形成される。
【００２６】
その際に、地盤改良装置１では、地盤２の掘削によって掘削軸14及び回転掘削機15の深度が深くなるにつれて全上載圧が掘削軸14や回転掘削機15に大きく作用し、さらに、地盤２に地盤改良材を注入することで全上載圧に注入による圧力が加わり、地盤２の内部で掘削軸14や回転掘削機15に作用する圧力が増加する。そのため、上記構成の地盤改良装置１では、地盤改良材等が回転掘削機15から掘削軸14に形成された中空部分へと逆流し、外部へ飛散してしまうおそれがある。
【００２７】
そこで、本発明に係る地盤改良装置１では、図４〜図６に示すように、地盤改良材が回転掘削機15から掘削軸14に形成された中空部分へと逆流して外部へ飛散するのを防止するための地盤改良材逆流飛散防止手段44,45,46を設けている。
【００２８】
この地盤改良装置１では、図４に示すように、掘削軸14の内側軸16を、上端側から、駆動体13に連結する内側カップリング47と、内側ロッド48と、１又は複数の内側延伸ロッド49と、内側シールロッド50と、回転掘削機15の掘削翼体22と下端部で連結するとともに内側撹拌翼25と中途部で連結する内側流路分岐ロッド51とを連結した構成とし、また、掘削軸14の外側軸17を、駆動体13に連結する外側カップリング52と、外側ドレーンロッド53と、１又は複数の外側延伸ロッド54と、フランジ55と、外側シールロッド56と、回転掘削機15の最内側撹拌翼24と下端部で連結するとともに外側撹拌翼26と中途部で連結する外側ロッド57とを連結した構成としている。外側軸17は、フランジ55よりも上方側の外側延伸ロッド54が支柱４の下端に設けた支持体58で上下摺動自在に支持されており、地盤改良施工時に外側ドレーンロッド53よりも下方側の外側延伸ロッド54までが掘削によって地盤２の内部に進入し、外側カップリング52や外側ドレーンロッド53が地盤２の内部にまでは進入しないようになっている。
【００２９】
そして、地盤改良材逆流飛散防止手段44としては、図４に示すように、地盤改良施工時に地盤２に進入しない掘削軸14の余長部分となる外側ドレーンロッド53の上部に、内側軸16と外側軸17との間に形成される間隙部（中空部）と外部とを連通する貫通孔状のドレーン59を形成している。また、駆動体13と支持体58との間に上下に伸縮可能な中空蛇腹状のカバー60を取付けて、掘削軸14の下端側からドレーン59よりも上端側をカバー60で被覆している。
【００３０】
これにより、地盤改良材逆流飛散防止手段44では、地盤２の内部の圧力によって掘削軸14の外側軸17の下端部等から掘削した土砂や地盤改良材が侵入して内側軸16と外側軸17との間の中空部を内外側シールロッド50,56を超えて上方へ向けて逆流してしまっても、外側ドレーンロッド53のドレーン59から掘削軸14の外部に排出させることができ、しかも、排出させた土砂や地盤改良材をカバー60によって飛散させることなく掘削軸14に沿って直下方へ落下させることができるようになっている。
【００３１】
また、地盤改良材逆流飛散防止手段45としては、図５に示すように、掘削軸14（内側軸16、外側軸17）と回転掘削機15との間となる内側軸16及び外側軸17の中途部に内側シールロッド50及び外側シールロッド56を設け、内側シールロッド50の中途部外周を上下端部よりも拡径して内側シールロッド50（内側軸16）と外側シールロッド56（外側軸17）との間に間隙（中空）をシールしている。
【００３２】
内側シールロッド50は、中空状に形成されており、中空部に地盤改良材の流路が形成されている。この内側シールロッド50の中空部には、地盤改良材の流路となる中空円管状の流路管61が収容されている。なお、地盤改良材の流路は、回転掘削機15の１ヶ所から地盤改良材を吐出する場合や１種類の地盤改良材を１ヶ所又は複数ヶ所から吐出する場合などに使用する１液吐出用流路と、回転掘削機15の複数ヶ所から地盤改良材を吐出する場合や複数種類の地盤改良材を１ヶ所又は複数ヶ所から吐出する場合などに使用する２液吐出用流路とがあり、１液吐出用流路は流路管61の内周部（中空部）に形成され、２液吐出用流路は後述する流路管66の内周部（中空部）と外周部とにそれぞれ形成される。
【００３３】
１液吐出用の流路管61は、下端部外周に内側シールロッド50の下端内周面との間を閉塞するための円環状の閉塞体62を設けるとともに、上端部外周に内側シールロッド50の上端内周面との間を閉塞するための円環状の閉塞リング63を着脱自在に取付けている。なお、閉塞体62は、流路管61と一体的に形成したものに限られず、円環形状の閉塞体62を流路管61の下端に溶接等で固定したものであってもよい。
【００３４】
そして、流路管61は、上下端に段部状の流路管受け64,65が形成された内側シールロッド50の中空部に下方（下端開口）から挿入された後に、上端部に閉塞リング63が取付けられる。
【００３５】
これにより、地盤改良材逆流飛散防止手段45では、地盤２の内部の圧力によって流路（内側軸16の中空部）に掘削した土砂や地盤改良材が侵入して回転掘削機15を超えて上方へ向けて逆流してしまっても、流路管61の上端の閉塞リング63と下端の閉塞体62とで流路管61の外周側の流路（中空部）を閉塞しているために、土砂や地盤改良材を流路管61（内外側シールロッド50,56）を超えて上方に逆流してしまうのを防止することができる。特に、地盤改良材逆流飛散防止手段45では、下端部に閉塞体62を設けた流路管61を内側シールロッド50の下方から挿入することで、流路管61の下端部において閉塞体62と流路管受け64とで流路管61の外周側の流路を閉塞しているために、流路管61の上方側で掘削軸14が破損等しても地盤改良材が構造が複雑で補修等が困難な回転掘削機15に侵入してしまうのを防止することができる。
【００３６】
なお、１液吐出用の流路管61に代えて２液吐出用の流路管66を使用する場合には、閉塞体67や閉塞リング68に地盤改良材を流すための上下貫通状の切欠69,70を形成し、流路管66の内周部（中空部）だけでなく外周部（流路管66の外周面と内側シールロッド50の内周面との間）にも流路が形成されるようにすればよい。
【００３７】
また、地盤改良材逆流飛散防止手段46としては、図６に示すように、内側軸16の下端の内側流路分岐ロッド51の中空部に挿入して地盤改良材の流路を形成するための流路管71を、内側流路管（内側流路管72又は内側流路管73を使い分ける。）と上下部外側流路管74,75とで二重管状に形成するとともに、上部外側流路管74と下部外側流路管75との間に地盤改良材を流す方向を垂直方向（下方）や水平方向（半径方向（外方））に分岐する分岐体76を設けている。分岐体76には、中央に上下に貫通して地盤改良材を垂直方向（下方）に流す垂直流路孔77と、垂直流路孔77の中途部で水平方向に分岐するとともに回転掘削機15の内側撹拌翼25に形成した流路に連通して地盤改良材を水平方向（半径方向（外方））に流す水平流路孔78,78とが形成されている。そして、内側流路管72の内周部（中空部）だけでなく外周部（内側流路管72の外周面と内側撹拌翼25の中空状の回転軸の内周面との間）にも垂直方向へ向けて地盤改良材を流す場合には、図６（ａ）に示すように、分岐体76の水平流路孔78,78に閉塞キャップ79を装着し、一方、内側流路管73の内周部（中空部）に垂直方向へ向けて地盤改良材を流すとともに外周部（内側流路管73の外周面と内側撹拌翼25の中空状の回転軸の内周面との間）に水平方向へ向けて地盤改良材を流す場合には、図６（ｂ）に示すように、分岐体76の垂直流路孔77の下端を内側流路管73の下端部に装着した閉塞パッキン80で閉塞する。
【００３８】
内側流路管（内側流路管72,73）は、中空円管形状をしており、上端部で上流側の流路管66の下端に連結保持されている。内側流路管72は、内側流路分岐ロッド51の上端から下端までの長さがあり、内周部（中空部）と外周部（外周面と上下部外側流路管74,75との間）とに地盤改良材を流す流路が形成され、いずれの流路も下端部で回転掘削機15の掘削翼体22に形成した流路に連通している。一方、内側流路管73は、内側流路分岐ロッド51の上端から中途部（分岐体76）までの長さがあり、下端部に閉塞パッキン80が取付けられており、内周部（中空部）と外周部（外周面と上部外側流路管74との間）とに地盤改良材を流す流路が形成され、下端部で内周部の流路が下部外側流路管75を介して回転掘削機15の掘削翼体22に形成した流路に連通し、外周部の流路が分岐体76の水平流路孔78,78を介して回転掘削機15の内側撹拌翼25に形成した流路に連通するようになっている。
【００３９】
上部外側流路管74は、分岐体76の上部側において内側流路管72,73の外側（外周面）に沿って地盤改良材を流すために内側流路管72,73から一定の間隔を保持している。
【００４０】
下部外側流路管75は、分岐体76の下部側（上部外側流路管74の下方）において上部外側流路管74と同一径又はそれ以上の内径を有しており、内側流路管72,73の外側（外周面）に沿って地盤改良材を流すために内側流路管72,73から一定の間隔を保持している。なお、分岐体76の垂直流路孔77も水平流路孔78,78の下部側を上部側と同一径又はそれ以上の内径となるようにしている。
【００４１】
これにより、地盤改良材逆流飛散防止手段46では、地盤２の内部の圧力によって内側流路管72の外側を流れる地盤改良材に圧力がかかっても内側流路管72と下部外側流路管75との間隔が保持されているために地盤改良材を詰まらせずに円滑に流すことができるので、地盤改良材が上方へ向けて逆流してしまうのを防止することができる。
【００４２】
以上に説明したように、上記地盤改良装置１は、地盤改良材が回転掘削機15から掘削軸14に形成された中空部分（内側軸16の内周部（中空部）や内側軸16の外周と外側軸17の内周との間の中空部）へと逆流して外部へ飛散するのを防止するための地盤改良材逆流飛散防止手段44,45,46を設けた構成となっている。
【００４３】
そのため、上記構成の地盤改良装置１では、地盤改良装置１を用いた地盤改良工法の施工時に、地盤改良材が回転掘削機15から掘削軸14の中空部へと逆流して外部へ飛散してしまうのを防止することができるので、地盤改良工法の安全性を向上させることができるとともに、回転掘削機15や掘削軸14のメンテナンス性を向上させることができる。
【００４４】
上記地盤改良装置１では、地盤改良材逆流飛散防止手段44として、地盤改良施工時に地盤に進入しない掘削軸14の余長部分に内側軸16と外側軸17との間に形成される中空部と外部とを連通するドレーン59を形成するとともに、掘削軸14の下端側からドレーン59よりも上端側を上下に伸縮可能なカバー60で被覆した構成としている。
【００４５】
また、上記地盤改良装置１では、地盤改良材逆流飛散防止手段45として、内側軸16と回転掘削機15との間に中空状の内側シールロッド50を設けるとともに、下端部に内側シールロッド50の内周面との間を閉塞する閉塞体62を設けた地盤改良材の流路となる流路管61を内側シールロッド50の中空部に下方から挿入した構成としている。
【００４６】
また、上記地盤改良装置１では、地盤改良材逆流飛散防止手段46として、内側軸16の中空部に挿入されて地盤改良材の流路となる流路管71を、地盤改良材が流れる内側流路管72,73と、内側流路管72,73の外側に地盤改良材を流すための一定の間隔を保持して設けられた上部外側流路管74と、上部外側流路管74の下方に設けられ上部外側流路管74と同一径以上の下部外側流路管75と、上部外側流路管74と下部外側流路管75との間に設けられ地盤改良材を垂直方向や水平方向へ選択的に流すことができる分岐体76とで構成している。
【００４７】
このように、上記地盤改良装置１では、３種類の地盤改良材逆流飛散防止手段44,45,46を設けているが、これに限られず、いずれか１又は２の地盤改良材逆流飛散防止手段44,45,46を設けてもよく、さらに、異なる形態の地盤改良材の逆流や飛散を防止するための手段を設けてもよい。
【符号の説明】
【００４８】
１  地盤改良装置                        ２  地盤
３  重機                                ４  支柱
５  掘削装置                            ６  地盤改良材供給機構
７  スイベルジョイント                  ８  地盤改良材貯留タンク
９  水槽                                10  地盤改良材混合プラント
11  地盤改良材吐出ポンプ                12  昇降支持体
13  駆動体                              14  掘削軸
15  回転掘削機                          16  内側軸
17  外側軸                              18  駆動モータ
19  反転変速機                          20  掘削体
21  撹拌翼                              22  掘削翼体
23  掘削ビット                          24  最内側撹拌翼
25  内側撹拌翼                          26  外側撹拌翼
27  最内側撹拌翼体                      28  内側撹拌翼体
29  内側撹拌翼上部片                    30  内側撹拌翼中途部片
31  内側撹拌翼下部片                    32  環状体
33,34,35  撹拌片                        36  連結片
37  外側撹拌翼体                        38  外側撹拌翼上部片
39  外側撹拌翼中途部片                  40  外側撹拌翼下部片
41  環状体                              42,43  撹拌片
44,45,46  地盤改良材逆流飛散防止手段    47  内側カップリング
48  内側ロッド                          49  内側延伸ロッド
50  内側シールロッド                    51  内側流路分岐ロッド
52  外側カップリング                    53  外側ドレーンロッド
54  外側延伸ロッド                      55  フランジ
56  外側シールロッド                    57  外側ロッド
58  支持体                              59  ドレーン
60  カバー                              61,66  流路管
62,67  閉塞体                           63,68  閉塞リング
64,65  流路管受け                       69,70  切欠
71  流路管                              72,73  内側流路管
74  上部外側流路管                      75  下部外側流路管
76  分岐体                              77  垂直流路孔
78  水平流路孔                          79  閉塞キャップ
80  閉塞パッキン
【要約】
【課題】地盤改良工法の安全性や地盤改良装置のメンテナンス性を向上させること。
【解決手段】本発明では、地盤改良材を流すための中空部を有する内側軸（１６）とその内側軸（１６）の外側に設けられる中空状の外側軸（１７）とで二重管状に形成された掘削軸（１４）の下端に、掘削体（２０）と撹拌翼（２１）とが設けられた回転掘削機（１５）を設け、回転掘削機（１５）によって地盤（２）を掘削するとともに地盤（２）に地盤改良材を吐出して掘削した地盤（２）と地盤改良材とを撹拌・混合する地盤改良装置（１）において、地盤改良材が回転掘削機（１５）から掘削軸（１４）に形成された中空部分へと逆流して外部へ飛散するのを防止するための地盤改良材逆流飛散防止手段（４４，４５，４６）を設けることにした。
【選択図】図４【図１】
0006779550.tif 000002
【図２】
0006779550.tif 000003
【図３】
0006779550.tif 000004
【図４】
0006779550.tif 000005
【図５】
0006779550.tif 000006
【図６】
0006779550.tif 000007